(57)【特許請求の範囲】
【請求項１】
微生物を含む活性汚泥を収容した活性汚泥槽に有機性廃水を流入させる流入工程と、
前記活性汚泥槽にて前記有機性廃水を生物的に処理し、該活性汚泥槽に設置した分離膜装置によって処理液を固液分離する分離工程と、を含む廃水の処理方法であって、
前記分離工程において、前記活性汚泥の水相中のウロン酸濃度が設定値内に維持されるように、前記活性汚泥槽中の活性汚泥の量に対する有機物量を増減させることを特徴とする廃水処理方法。
【請求項２】
微生物を含む活性汚泥を収容した活性汚泥槽に有機性廃水を流入させる流入工程と、
前記活性汚泥槽にて前記有機性廃水を生物的に処理し、該活性汚泥槽に設置した分離膜装置によって処理液を固液分離する分離工程と、を含む廃水の処理方法であって、
前記分離工程において、前記活性汚泥の水相中のウロン酸濃度を、分離膜装置のろ過Ｆｌｕｘ値に応じて設定値内に維持することを特徴とする廃水処理方法。
【請求項３】
前記活性汚泥量に対する有機物量の増減を、前記活性汚泥槽に流入させる有機性廃水量、もしくは、前記活性汚泥槽に流入させる有機性廃水量と分離膜装置によって固液分離されたろ過液の活性汚泥槽外への排出量を増減させることによって行うことを特徴とする請求項１に記載の廃水処理方法。
【請求項４】
前記活性汚泥量に対する有機物量の増減を、活性汚泥濃度および／または活性汚泥体積を増減させることによって行うことを特徴とする請求項１に記載の廃水処理方法。
【請求項５】
前記ウロン酸濃度の設定値は分離膜装置のろ過Ｆｌｕｘ値に応じて決定されることを特徴とする、請求項１、３、４のいずれか一項に記載の廃水処理方法。
【請求項６】
前記活性汚泥の水相中の前記ウロン酸濃度は、前記活性汚泥を前記分離膜装置の分離膜より大きな孔径を有するろ材によってろ過し、得られたろ液中のウロン酸濃度を測定することによって求めることを特徴とする請求項１〜５のいずれか一項に記載の廃水処理方法。
【発明の詳細な説明】
【技術分野】
【０００１】
本発明は、有機性廃水を膜分離活性汚泥法によって処理する方法に関する。
【背景技術】
【０００２】
廃水処理方法の一つとして、活性汚泥槽に膜カ−トリッジを浸漬し、ろ過により活性汚泥と処理液とに固液分離を行う膜分離活性汚泥法がある。この方法は活性汚泥濃度（Ｍｉｘｅｄ  Ｌｉｑｕｏｒ  Ｓｕｓｐｅｎｄｅｄ  Ｓｏｌｉｄ、以下ＭＬＳＳという。）を５０００から２００００ｍｇ／ｌと極めて高くして固液分離を行うことができる。このため、活性汚泥槽の容積を小さくできたり、あるいは活性汚泥槽内での反応時間を短縮することができるという利点を有する。また膜によってろ過を行うため、処理水中に浮遊物質（Ｓｕｓｐｅｎｄｅｄ  Ｓｏｌｉｄ、以下ＳＳということがある。）が混入しない。そのため、最終沈殿槽が不要であり、処理施設の敷地面積を減らすことができる。また、活性汚泥の沈降性の良否にかかわらずろ過ができるため、活性汚泥の管理も軽減される。膜分離活性汚泥法は、このように多くのメリットがあり、近年急速に普及している。【０００３】
膜カ−トリッジには平膜や中空糸膜が用いられている。特に中空糸膜は、膜自身の強度が高いため、有機性廃水から混入する夾雑物との接触による膜表面へのダメ−ジが少なく、長期間の使用に耐えることができる。更に、ろ過方向とは逆方向にろ過水等の媒体を噴出させて膜表面の付着物を除去する逆洗を行うことができるという利点も有する。しかしながら、活性汚泥や活性汚泥中の微生物が代謝して生成される生物由来ポリマ−が膜面に付着することによって有効な膜面積が減少し、ろ過効率が低下する。このため、度々逆洗を行う必要があり、長期間の安定なろ過ができないという問題がある。【０００４】
このような問題に対して、例えば特開２０００−１５７８４６号公報（特許文献１）には、中空糸膜カ−トリッジの下部から空気等による曝気を行う方法が開示されている。この方法では、膜の振動効果と上方への気泡の移動による撹拌効果によって、膜表面および膜間に付着した活性汚泥凝集物や原水から持ち込まれる夾雑物が剥離され、それらが蓄積するのを防ぐことができる。具体的には、例えば中空糸膜カ−トリッジの下部に下部リングを設置し、かつ下部リング側接着固定層に複数の貫通穴を設け、カ−トリッジ下部からの曝気により下部リング内に空気溜まりを形成することで、複数の貫通穴より均等に気泡を発生させている。【０００５】
しかしながら、有機性廃水中の有機物濃度の変動が激しい場合や、酸化剤、酸性液体および塩基性液体などが活性汚泥槽内に流入した場合、微生物が異常な量の代謝産物（生物由来ポリマ−という）を体外に排出することがある。生物由来ポリマ−が異常に高濃度の状態が続くと、もはや曝気では膜外表面に付着した生物由来ポリマ−を十分に剥離できず、膜ろ過抵抗が上昇してしまう。【０００６】
一方、特開２００５−４０７４７号公報（特許文献２）には、生物処理槽（曝気槽）中の生物由来ポリマ−量を測定し、生物処理槽における生物由来ポリマ−量を適時に低減させて膜面に過剰なポリマ−が付着することを防止しようとする方法が開示されている。この方法では、生物由来ポリマ−量としてＣＯＤ（ｃｈｅｍｉｃａｌ  ｏｘｙｇｅｎ  ｄｅｍａｎｄ）値を求め、代用している。しかしながら、ＣＯＤ値には膜の細孔を素通りできる有機物の値も含まれる。そのため、生物由来ポリマ−の付着による膜面積減少のリスクを実際より過大に評価してしまい、生物由来ポリマ−を必要以上に低減させる作業が伴うことになり、廃水処理の作業効率を低下させる可能性があった。【０００７】
さらに、特開２００２−１３３３号公報（特許文献３）には、生物処理槽内に存在する高分子有機化合物からなるろ過性阻害成分を減少させる方法が開示されている。この方法では、ろ過阻害成分を凝集剤を加えてからろ材よって分離するか、あるいは遠心分離を行ってろ過性阻害成分を廃棄している。そのため、非常に手間のかかる方法であった。
【特許文献１】特開２０００−１５７８４６号公報
【特許文献２】特開２００５−４０７４７号公報
【特許文献３】特開２００２−１３３３号公報
【発明の開示】
【発明が解決しようとする課題】
【０００８】
そこで、本発明は、生物由来ポリマ−の付着による膜面積の減少リスクを適切に評価し、膜ろ過抵抗の上昇を防いで効率よく廃水を処理する方法を提供することを目的とする。
【課題を解決するための手段】
【０００９】
本発明者らは鋭意検討の結果、膜外表面に付着してろ過を阻害する物質が糖、その中でもウロン酸を主成分とする分子量数十万から数百万の生物由来ポリマ−であることを見出した。また、活性汚泥量に対する有機物量を増減すると、活性汚泥の水相中の生物由来ポリマ−も制御できることを見出した。即ち、本発明に係る廃水処理方法は、以下のとおりである。
＜１＞微生物を含む活性汚泥を収容した活性汚泥槽に有機性廃水を流入させる流入工程と、
前記活性汚泥槽にて前記有機性廃水を生物的に処理し、該活性汚泥槽に設置した分離膜装置によって処理液を固液分離する分離工程と、を含む廃水の処理方法であって、
前記分離工程において、前記活性汚泥の水相中の糖濃度を設定値内に維持することを特徴とする廃水処理方法。
＜２＞前記糖濃度はウロン酸濃度であることを特徴とする、上記１に記載の廃水処理方法。
＜３＞前記分離工程において、該糖濃度が前記範囲内に維持されるように、前記活性汚泥槽中の活性汚泥の量に対する有機物量を増減させることを特徴とする上記１または２に記載の廃水処理方法。
＜４＞前記活性汚泥量に対する有機物量の増減を、前記活性汚泥槽に流入させる有機性廃水量、もしくは、前記活性汚泥槽に流入させる有機性廃水量と分離膜装置によって固液分離されたろ過液の活性汚泥槽外への排出量を増減させることによって行うことを特徴とする上記３に記載の廃水処理方法。
＜５＞前記活性汚泥量に対する有機物量の増減を、活性汚泥濃度および／または活性汚泥体積を増減させることによって行うことを特徴とする上記３に記載の廃水処理方法。
＜６＞前記糖濃度の設定値は分離膜装置のろ過Ｆｌｕｘ値に応じて決定されることを特徴とする、上記１または２に記載の廃水処理方法。
＜７＞前記活性汚泥の水相中の糖濃度は、前記活性汚泥を前記分離膜装置の分離膜より大きな孔径を有するろ材によってろ過し、得られたろ液中の糖濃度を測定することによって求めることを特徴とする上記１、２、３、６のいずれかに記載の廃水処理方法。
【発明の効果】
【００１０】
本発明に係る廃水処理方法によれば、活性汚泥槽中の糖濃度および／またはウロン酸濃度をモニタ−することによって、膜の目詰まりの原因となる生物由来ポリマ−の量を把握し、糖濃度および／またはウロン酸濃度が高くなってきた場合には、ＢＯＤ−ＳＳ負荷を低下させることにより分離膜の目詰まりを防ぎ、固液分離を長時間安定して行うことができる。一方、糖濃度および／またはウロン酸濃度が設定値よりはるかに低い場合は、糖濃度および／またはウロン酸濃度が設定値近くに上昇するまでＢＯＤ−ＳＳ負荷を上昇させることもできる。これにより、廃水処理作業の効率を上げることが可能である。
【図面の簡単な説明】
【００１１】
【図１】本発明の廃水処理方法を行う系の一例を示すブロック図である。
【図２】活性汚泥のろ紙ろ過液中の糖濃度と膜ろ過抵抗との関係である。
【図３】活性汚泥中のＣＯＤ差値と膜ろ過抵抗との関係である。
【図４】活性汚泥のろ紙ろ過液中のウロン酸濃度と糖濃度との関係である。
【図５】活性汚泥のろ紙ろ過液のＧＰＣチャ−トである。
【図６】活性汚泥のろ紙ろ過液を膜ろ過した後のＧＰＣチャ−トである。
【図７】活性汚泥の水相中のＢＯＤ−ＳＳ負荷と糖濃度との関係である。
【図８】実施例１における膜間差圧、糖濃度および流入廃水量の経時変化を示す図である。
【図９】実施例２における膜間差圧、糖濃度および流入廃水量の経時変化を示す図である。
【符号の説明】
【００１２】
１  有機性廃水
２  前処理設備
３  流量調整槽
４  活性汚泥槽（曝気槽）
５  中空糸膜型分離膜装置
６  スカ−ト
７  ブロワ−
８  吸引ポンプ
９  ろ過液
１０  滅菌槽
１１  処理水
１２  汚泥引き抜きポンプ
【発明を実施するための最良の形態】
【００１３】
本発明の廃水処理方法は、微生物を含む活性汚泥を収容した活性汚泥槽に有機性廃水を流入させる流入工程、および、この活性汚泥槽で生物的に処理した処理液を、活性汚泥槽に設置した分離膜装置によって処理液を固液分離する分離工程とからなる。【００１４】
流入工程には、活性汚泥槽に流入させる有機性廃水から夾雑物を取り除く前処理設備や活性汚泥槽に流入させる有機性廃水の流量を調節する流量調節槽などがある。また分離工程には、生物的に廃水を処理する活性汚泥槽および、処理された液を固液分離する膜分離装置、ろ液を引き抜くための吸引ポンプなどがある。【００１５】
流入工程では、大きな固形分などをおおまかに除去した有機性廃水を、一定の流量で活性汚泥槽に流量調整しながら活性汚泥槽に送り込む。この活性汚泥槽では、活性汚泥中の微生物によって有機性廃水中の有機物（ＢＯＤ成分）が分解される。活性汚泥槽の大きさおよび有機性廃水の活性汚泥槽での滞留時間は、有機性廃水の排水量や、その廃水中の有機物濃度に応じて決定される。また、活性汚泥槽中の活性汚泥濃度は５〜１５ｇ／Ｌ程度に設定することができる。分離工程では、活性汚泥槽中の活性汚泥と有機性廃水とを分離膜装置によって固液分離を行う。活性汚泥槽に設置された浸漬型分離膜装置は、分離膜と集水部とから構成され、さらにスカ−トが設置される。このスカ−トへブロワ−から気体を送り込んで前記膜を揺動させ、また前記膜面に水流をあててせん断力を与えることにより、目づまりを防いでいる。分離膜装置の集水部は吸引ポンプに配管され、吸引ポンプによって膜の内面と外面に圧力勾配が発生し固液分離が達成される。【００１６】
分離膜に用いられる膜カ−トリッジには、平膜、中空糸膜など公知の分離膜を用いることができる。中でも、中空糸膜は膜自身の強度が高く、有機性廃水中の夾雑物との接触から膜表面に受けるダメ−ジが少なく、長期間の使用に耐えることができる点で好ましい。またろ過膜は、ろ過方向とは逆方向にろ過水等を噴出させることにより膜表面の付着物を除去することにより、逆洗を行うこともできる。分離膜装置は、活性汚泥槽内に浸漬して設置するだけでなく、活性汚泥槽に接続して設置してもよい。したがって本方法は、浸漬型の膜分離活性汚泥法だけでなく、分離膜装置を活性汚泥槽とは別の槽へ設ける場合や、加圧型の分離膜装置の場合でも適用できる。これらの方法の場合は、活性汚泥槽と分離膜装置の間で活性汚泥を循環させ、濃縮液は活性汚泥槽へ戻す。分離膜は必要に応じて複数系列としてもよい。複数系列とすることにより、分離膜の系列毎に分離作業を行ったり分離作業を止めたりすることもできるので、廃水処理スピ−ドの調整ができる。【００１７】
上記の廃水処理方法に用いる処理に用いる装置としては、例えば、図１に示される装置が挙げられる。【００１８】
まず、活性汚泥槽内に流入する有機性廃水１は、前処理設備２で夾雑物が除去された後に流量調整槽３に一旦貯留され、流量調整槽３から一定の流量で活性汚泥槽（曝気槽）４に供給される。【００１９】
活性汚泥槽４では、槽に入れられた活性汚泥中の微生物によって有機性廃水１中の有機物（ＢＯＤ成分）が分解除去される。活性汚泥槽４における活性汚泥混合液の固液分離は槽内に浸漬された分離膜装置５で行う。分離膜装置５の下部にはスカ−ト６およびブロワ−７が設置されておりこのスカ−トへブロワ−から気体が送り込まれる。分離膜装置５で処理されたろ液９は、吸引ポンプ８で吸引されて、必要に応じて滅菌槽１０で消毒後、処理水１１として放流される。活性汚泥槽４において、微生物はＢＯＤ成分を分解するとともに代謝産物を体外に放出する。この微生物の代謝産物である糖やタンパク質を主成分とする生物由来ポリマ−は、特に活性汚泥槽へ有機物が過剰に流入した場合や、流入水中の有機物濃度の変動が激しい場合には、酸化剤、酸性液体および塩基性液体などが活性汚泥槽内に流入すると生物由来ポリマ−が著しく体外に排出され分離膜の目詰まりを促進させる。本発明では、活性汚泥槽４に収容された活性汚泥の水相中の糖濃度好ましくは、ウロン酸濃度を測定することにより、生物由来ポリマ−によって分離膜が目詰まりするリスクを適当に評価することが可能となる。【００２０】
本発明の方法で処理することにより効果が得られる廃水には、食品工場廃水、製糖工場廃水、洗剤工場廃水、スタ−チ工場廃水、豆腐工場廃水などが挙げられ、ＢＯＤが１００ｍｇ／Ｌ以上である廃水である場合に、より有効である。【００２１】
本発明では、活性汚泥の水相中の糖濃度を設定値内に維持する必要がある。ここで、上記糖濃度の設定値の上限は、１００ｍｇ／Ｌ以下とする必要がある。この値を超えた場合、分離膜へ生物由来ポリマ−や活性汚泥が膜への目詰まりが顕著になり、ろ過圧力が高くなる。好ましくは８０ｍｇ／Ｌ以下、より好ましくは５０ｍｇ／Ｌ以下、最も好ましくは、約３０ｍｇ／Ｌである。【００２２】
糖濃度は低ければ低いほど膜への目詰まりは生じにくい点で好ましいといえるが、廃水処理能力はそれに応じて低くなる。廃水処理能力と目詰まりのバランスを考慮した上では、糖濃度の下限は５ｍｇ／Ｌとする必要があり、１０ｍｇ／Ｌとすることが好ましく、約２０ｍｇ／Ｌがより好ましい。【００２３】
さらに糖濃度に代えてウロン酸濃度を前記設定値内に維持すると、膜の目づまりリスクをさらに正確に把握できる点で好ましくい。特に、活性汚泥槽へ流入する有機性廃水が糖を多く含む廃水である場合に、目づまり物質の指標として糖濃度を用いると、生物由来ポリマ−である糖に加えて、有機性廃水由来の糖も測定してしまうため、目づまり物質の量を過大評価してしまう可能性がある。こういった場合にはウロン酸濃度を測定すれば、より正確に目づまりを評価することができる。ウロン酸濃度のより好ましい上限は、５０ｍｇ／Ｌ以下、より好ましくは３０ｍｇ／Ｌ以下、さらに好ましくは２０ｍｇ／Ｌ以下、最も好ましくは１０ｍｇ／Ｌである。ウロン酸濃度の好ましい下限は、３ｍｇ／Ｌ以上、より好ましくは５ｍｇ／Ｌ以上である。【００２４】
さらには、各濃度はろ過Ｆｌｕｘに応じて決定するのが好ましい。本発明においてろ過Ｆｌｕｘは０．１〜１．０ｍ／Ｄとするのが一般的であり、０．４〜０．８ｍ／Ｄとするのが、効率的に廃水処理できる点から好ましい。この場合の糖濃度の目安として以下のような範囲とすると最も好ましい。
分離膜装置のろ過Ｆｌｕｘを０．２ｍ／Ｄとしたときは、８０ｍｇ／Ｌ以下
分離膜装置のろ過Ｆｌｕｘを０．４ｍ／Ｄとしたときは、５０ｍｇ／Ｌ以下
分離膜装置のろ過Ｆｌｕｘを０．６ｍ／Ｄとしたときは、３０ｍｇ／Ｌ以下
分離膜装置のろ過Ｆｌｕｘを０．８ｍ／Ｄとしたときは、１０ｍｇ／Ｌ以下
尚、０．６ｍ／Ｄのろ過Ｆｌｕｘとは、０．６ｍ３のろ過液を、１ｍ２のろ過面積当たり２４時間で通過させる運転を意味する。【００２５】
糖濃度の測定方法は特に限定されないが例えば、フェノ−ル硫酸法によって測定され、グルコ−スで作製した検量線によって決定する方法が挙げられる。【００２６】
糖濃度および／またはウロン酸濃度を測定する場合には活性汚泥を、ろ紙など、分離膜装置の分離膜より大きな孔径を有するろ材によってろ過して汚泥ろ液を得てから、測定することが好ましい。この操作によって、活性汚泥中の浮遊物のみがろ材に捕捉され、糖成分はろ紙を通過する。したがってそのろ液中の糖濃度および／またはウロン酸濃度を測定すれば膜の目詰まり物質となる生物由来ポリマ−の濃度をより正確に測定することができる。【００２７】
ろ材の孔径は、分離膜装置に備えられた分離膜孔径の好ましくは５倍以上、さらに好ましくは１０倍以上である。また、分離膜装置に備えられた分離膜の孔径の約１００倍以下を上限とすることが好ましく、ろ材の孔径の上限は１０μｍであることがより好ましい。さらに、親水性の素材の方が糖成分の吸着が少ないので好ましい。このようなろ材としては、例えば、セルロ−スを素材とするろ紙を用いることができる。【００２８】
ウロン酸濃度は、ＮＥＬＬＹ  ＢＬＵＭＥＮＫＲＡＮＴＺ，ＧＵＳＴＡＶ  ＡＳＢＯＥ−ＨＡＮＳＥＮ著「Ｎｅｗ  Ｍｅｔｈｏｄ  ｆｏｒ  Ｑｕａｎｔｉｔａｔｉｖｅ  Ｄｅｔｅｒｍｉｎａｔｉｏｎ  ｏｆ  Ｕｒｏｎｉｃ  Ａｃｉｄ」ＡＮＡＬＹＴＩＣＡＬ  ＢＩＯＣＨＥＭＩＳＴＲＹ５４巻、４８４〜４８９貢（１９７３年発行）に記載の方法に従い、ポリウロン酸の一つであるポリガラクツロン酸を用いて作成した検量線により測定することができる。具体的には下記の手順で行えばよい。
１）０．５ｍＬの汚泥ろ液および既知濃度のポリガラクツロン酸水溶液を試験管にとり、各々に３．０ｍＬの０．０１２５ＭのＮａ２Ｂ４Ｏ７濃硫酸溶液を加える。
２）１）の各液をよくふって、沸騰湯浴中で５分間温め、その後氷水中で２０分間冷やす。
３）２）の各液に５０μＬの０．１５％ｍ−ヒドロキシジフェニルの０．５％ＮａＯＨ溶液を加える。
４）３）の各液をよく撹拌した後５分放置し、これらの５２０ｎｍ吸光度を測定し、既知濃度のポリガラクツロン酸水溶液の値と汚泥ろ液の値とを比較して濃度を求める。【００２９】
糖濃度および／またはウロン酸濃度の経時的変化は、例えば、数時間〜数日に１回等、糖濃度および／またはウロン酸濃度を定期的に測定することによって求めることができる。
定期的な糖濃度および／またはウロン酸濃度の測定により、糖濃度および／またはウロン酸濃度すなわち生物由来ポリマ−の濃度が高くなったことを知ることができ、膜が目詰まりを起こす前に対策を打つことができる。糖濃度および／またはウロン酸濃度を常時監視しておき、規定範囲内に調整することが最も好ましい。【００３０】
活性汚泥の水相中の糖濃度および／またはウロン酸濃度が設定値内に入るようにするには、例えば活性汚泥槽中の活性汚泥の量に対する有機物量［ｋｇ］を増減させる方法が挙げられる。これはＢＯＤ−ＳＳ負荷と呼ばれ、前記有機物量の指標として、１日あたりに活性汚泥槽に流入するＢＯＤ［ｋｇ／ｄａｙ］が用いられる
発明者らは、ＢＯＤ−ＳＳ負荷が活性汚泥の水相中の糖濃度および／またはウロン酸濃度と深いかかわりがあることを見いだした。ＢＯＤ−ＳＳ負荷が高いということは、微生物の量に対してえさとなる有機物がより多く存在するという状況である。こうした状況になると、微生物は代謝を活発に行うようになり、目詰まり物質となる生物由来ポリマ−、即ち糖を過剰に排出するようになる。逆に微生物は飢餓状態に置かれると代謝活動は縮減し、生物由来ポリマ−を排出しなくなる。さらに、微生物が糖を消費すると考えられるため糖濃度はより低くなる。【００３１】
従って、糖濃度および／またはウロン酸濃度が高くなったときは、ＢＯＤ−ＳＳ負荷を下げ、糖濃度および／またはウロン酸濃度が低くなったときには、ＢＯＤ−ＳＳ負荷を上げればよい。その結果、生物由来ポリマ−の膜への付着を防ぐことができ、膜が目詰まりを起こすことなく安定に固液分離を継続することができる。【００３２】
ＢＯＤ−ＳＳ負荷の増減方法としては、活性汚泥槽内中の有機物量を増減させればよい。具体的な方法として次の方法が挙げられる。例えば、（１）活性汚泥槽内に流入する有機性廃水の量を増減させる方法、（２）活性汚泥槽内に流入する有機性廃水の量と分離膜装置によって固液分離されたろ過液の活性汚泥槽外排出量を増減させる方法；（３）ろ過Ｆｌｕｘを増減させる方法などが挙げられる。【００３３】
尚、有機物量を増減させる方法は上述の方法に限定されず、次のような方法も考えられる。例えば、固形の有機物をろ材を用いて分離することにより有機性廃水から有機物量を除去する方法；余剰汚泥引き抜き量を減らして活性汚泥濃度を上昇させる方法、すなわち、余剰汚泥引き抜き量を制御することによって活性汚泥濃度を増減させる方法；活性汚泥槽の液面高さを低くしてそこに存在する活性汚泥量を減らす方法、すなわち、活性汚泥槽の液面を制御することによって活性汚泥容積を制御し活性汚泥量を増減させる方法；活性汚泥槽に水を加える方法などが考えられる。  【００３４】
この中でも、活性汚泥槽内に流入する有機性廃水の量を増減させる方法が最も簡便であり、好ましい。具体的には、活性汚泥槽内に流入する有機性廃水の量を減じることにより、糖濃度および／またはウロン酸濃度を低下させることができる。一方、糖濃度および／またはウロン酸濃度が設定値より低い場合は、活性汚泥槽内に流入する有機性廃水量を増加させることにより、糖濃度および／またはウロン酸濃度を上昇させることができる。こうすることによって、分離膜の目詰まりを防ぎつつ、廃水処理の効率を上げることができる。  【００３５】
活性汚泥槽内に流入する有機性廃水の増減量とＢＯＤ−ＳＳ負荷の増減量は、処理しようとする有機性廃水毎に決める必要がある。例えば、活性汚泥槽内に流入する有機性廃水量を例えば半分に減らした場合、すなわち、ＢＯＤ−ＳＳ負荷を半分に減らした場合に、糖濃度および／またはウロン酸濃度がどの程度変化するかの傾向を把握する。得られた傾向に基づいて有機性排水量をどの程度増減するかを決定する。【００３６】
具体的な有機性廃水の増減量は、活性汚泥槽の大きさや活性汚泥の種類などによってケ−スバイケ−スであるが、例えば糖濃度および／またはウロン酸濃度が上昇した場合、目安として、ＢＯＤ−ＳＳ負荷を０．０２ｋｇ−ＢＯＤ／（ｋｇ・ｄａｙ）まで下げれば、糖濃度および／またはウロン酸濃度は１週間程度で元の濃度の半分程度まで低下させることができる。【００３７】
上述のように糖類、タンパク質および核酸といった生物由来ポリマ−の中でも、分離膜表面に付着して目詰まりを生じさせるのは、主として糖、特にウロン酸を主成分とするポリマ−である。従って、本発明のように糖濃度および／またはウロン酸濃度を設定値内に維持することによって、生物由来ポリマ−が膜表面に付着して膜ろ過抵抗が上昇するのを防ぐことができる。分離膜は、いずれ目づまりを起こし洗浄することが必要になるが、本発明の方法を用いれば、その頻度を最小限に抑えることが可能になる。また、糖濃度および／またはウロン酸濃度を用いて膜面積減少リスクを評価するので、分離膜を通過できる生物由来ポリマ−も検出してリスクを過大評価してしまうことを回避できる。従って、生物由来ポリマ−の分離膜への付着の防止を必要十分な程度で行って、廃水処理の作業効率が低下することを防ぐこともできる。
【実施例】
【００３８】
本発明の実施例を以下に説明するが、これらの実施例に本発明が限定されるものではない。【００３９】
（分離膜に付着する生物由来ポリマ−の特定）
以下の方法により，製糖工場と洗剤工場から排出された有機性廃水を膜分離活性汚泥法により処理した場合に、分離膜に目詰まりする物質を特定した。【００４０】
まず有機性廃水を含む活性汚泥を、１μｍの孔径を有するろ紙（アドバンテック社、セルロ−ス製、５Ｃ（商品名））でろ過し、得られたろ液（以下、汚泥ろ液と呼ぶ）を、０．１μｍの孔径を有する中空糸膜（旭化成ケミカルズ社製、ＰＶＤＦ製、膜面積０．０２ｍ２、有効膜長さ１５ｃｍ、内径／外径：０．６／１．２ｍｍ）で、９分間ろ過、１分間逆洗を１サイクルとして７サイクル行った。【００４１】
ろ過抵抗Ｒｃは、下記式（Ｉ）のような関係がある。上記の膜ろ過実験の結果得られた値（膜間差圧、粘度、Ｆｌｕｘ）をプロットして、Ｐｎ／（μＪ）とｎとの関係を近似線を描き、その傾きからＲｃを求めた。
Ｐｎ／（μＪ）＝ｎ×Ｒｃ………（Ｉ）
式（Ｉ）において、ｎはろ過サイクル数、Ｐｎはｎサイクル目の膜間差圧の平均値［Ｐａ］、μは水の粘度［Ｐａ・ｓ］、ＪはＦｌｕｘ［ｍ／Ｄ］を表す。
ろ液中の糖濃度は、フェノ−ル硫酸法によって測定した。検量線の作成にはグルコ−スを用いて濃度を決定した。その結果、図２に示されるように、算出されたろ過抵抗値と、ろ液中の糖濃度とが比例関係にあることがわかった。【００４２】
一方、ウロン酸濃度については、上述の「Ｎｅｗ  Ｍｅｔｈｏｄ  ｆｏｒ  Ｑｕａｎｔｉｔａｔｉｖｅ  Ｄｅｔｅｒｍｉｎａｔｉｏｎ  ｏｆ  Ｕｒｏｎｉｃ  Ａｃｉｄ」ＡＮＡＬＹＴＩＣＡＬ  ＢＩＯＣＨＥＭＩＳＴＲＹ５４巻、４８４〜４８９貢（１９７３年発行）の方法に従い、以下の手順でポリガラクツロン酸濃度を求めた。具体的には下記の手順で行った。
１）０．５ｍＬの汚泥ろ液および既知濃度のポリガラクツロン酸水溶液を試験管にとり、各々に３．０ｍＬの０．０１２５ＭのＮａ２Ｂ４Ｏ７濃硫酸溶液を加えた。
２）１）の各液をよくふって、沸騰湯浴中で５分間温め、その後氷水中で２０分間冷やした。
３）２）の各液に５０μＬの０．１５％ｍ−ヒドロキシジフェニルの０．５％ＮａＯＨ溶液を加えた。
４）３）の各液をよく撹拌した後５分放置し、これらの５２０ｎｍ吸光度を測定し、既知濃度のポリガラクツロン酸水溶液の値と汚泥ろ液の値とを比較して濃度を求めた。【００４３】
その結果、図４に示されるように、上記汚泥ろ液中の糖濃度は、糖の一種であるウロン酸濃度とおおよそ比例関係にあることがわかった。【００４４】
さらに、膜ろ過前の液および膜ろ過後のろ液について、高速液体クロマトグラフィ−により分子量分布を測定した結果を、それぞれ図５および図６に示す。図５および図６の横軸は、分子量が既知である種々のＰＶＡを高速クロマトグラフィ−にかけ、出力される保持時間と分子量との関係を求め、この関係を用いて横軸に表される保持時間を分子量に換算して記載した。図に示すように、図５中、分子量が数十万から数百万の部分に存在するピ−クの高さが、図６では小さくなっており、膜ろ過によりこの分子量を有する物質が減少していることがわかった。【００４５】
以上の結果から、膜分離活性汚泥法における膜の目詰まり物質は、糖を主成分とする分子量が数十万から数百万のウロン酸含有ポリマ−であると推定できる。【００４６】
また汚泥ろ液に、ポリガラクツロン酸を４０ｍｇ／Ｌ、６０ｍｇ／Ｌ、８０ｍｇ／Ｌ、１００ｍｇ／Ｌの４種類の濃度で溶かした液を用いてろ過抵抗を測定した。その結果、図２に示すようにポリガラクツロン酸を溶かした液の方が活性汚泥ろ紙ろ液の傾きよりも大きいことがわかった。すなわち、糖の中でもウロン酸が多く含まれた液の方がろ過抵抗が大きいことがわかった。【００４７】
一方、特開２００５−４０７４７号公報（特許文献２）の方法に従い、活性汚泥を上記と同じろ紙でろ過し、得られたろ液のＣＯＤと、このろ過液をさらに上記の中空糸膜を用いてろ過したろ液のＣＯＤとの差を求めてＣＯＤ差値とし、図３にプロットした。ＣＯＤ差値の中には、膜を通過できる成分に基づく値も含まれるため、ろ過抵抗値において糖濃度と比較するとＣＯＤ差値を採用した方が誤差が大きいことがわかった。【００４８】
従って、活性汚泥の水相中の糖濃度、より好ましくはウロン酸濃度を測定すれば、生物由来ポリマ−の中でも分離膜表面に付着する物質の量を正確に評価することになることが確認された。【００４９】
（糖濃度が制御できることの確認）
以下の方法により、ＢＯＤ−ＳＳ負荷を増減することによって、活性汚泥の水相中の糖濃度が制御できることを確認した。【００５０】
まず、製糖工場廃水、洗剤工場廃水、及び豆腐工場廃水の３種類の有機性廃水を図１に示した工程により、連続運転で膜分離活性汚泥処理を行った。これらの廃水を水で薄めることにより、ＢＯＤ−ＳＳの値を変化させ、種々のＢＯＤ−ＳＳ負荷における活性汚泥の水相中の糖濃度およびウロン酸濃度を測定した。糖濃度は、活性汚泥をろ紙（アドバンテック社、セルロ−ス製、５Ｃ（商品名））でろ過した液をフェノ−ル硫酸法によって測定し、グルコ−スで作製した検量線により求めた。また、ウロン酸濃度は上述したのと同様の手順で、ポリガラクツロン酸の検量線により求めた。分離膜として上記と同じ中空糸膜を用いて膜分離処理をおこなった。【００５１】
得られた結果を図７に示す。活性汚泥槽中のＢＯＤ−ＳＳ負荷が高いときは糖濃度およびウロン酸濃度も高くなり、逆にＢＯＤ−ＳＳ負荷を低く設定すると糖濃度およびウロン酸濃度が低くなった。【００５２】
以上より、ＢＯＤ−ＳＳ負荷を制御するという極めて簡易な工程によって、糖濃度およびウロン酸濃度を設定値内に維持するよう制御できることが確認された。
（実施例１および比較例１）  
図１に示した工程で、ＢＯＤが７５０ｍｇ／Ｌの製糖工場の廃水を、連続運転で膜分離活性汚泥法により処理した。この廃水中の糖濃度およびウロン酸濃度はそれぞれ、６０ｍｇ／Ｌおよび０ｍｇ／Ｌであった。【００５３】
分離膜装置５として、孔径０．１μｍの精密ろ過中空糸膜をモジュ−ル化した分離膜装置（旭化成ケミカルズ社製、ＰＶＤＦ製、膜面積０．０１５ｍ２、有効膜長さ１５ｃｍ、内径／外径：０．６／１．２ｍｍ）を、有効容積１０Ｌの活性汚泥槽４に浸漬させた。活性汚泥槽中のＭＬＳＳ濃度は１０ｇ／Ｌで一定とし、活性汚泥槽４における廃水の滞留時間は１８時間とした。処理開始時のろ過圧力は４ｋＰａであった。活性汚泥の液量は常に一定とし、分離膜装置５は同膜面積で２系列に分け、いずれもろ過Ｆｌｕｘは０．６ｍ／Ｄに設定し、ろ液は全量活性汚泥槽４外に排出した。活性汚泥槽４の水相中の糖濃度は上限が５０ｍｇ／Ｌ、下限が２０ｍｇ／Ｌとなるように設定することとした。また、ウロン酸濃度は、上限を１８ｍｇ／Ｌ、下限を５ｍｇ／Ｌとした。膜への曝気は、空気を膜モジュ−ルの下部から２００Ｌ／ｈの流量で送気した。【００５４】
なお、糖濃度は、活性汚泥をろ紙（孔径１μｍ；アドバンテック社、セルロ−ス製  ５Ｃ）でろ過した液をフェノ−ル硫酸法によって測定し、グルコ−スで作製した検量線により求めた。また、ウロン酸濃度は上述したのと同様の手順で、ポリガラクツロン酸の検量線により求めた。【００５５】
１日に１回、活性汚泥の水相中の糖濃度およびウロン酸濃度を測定した結果を図８に示す。運転開始から約１週間を経過すると活性汚泥の水相中の糖濃度およびウロン酸濃度が急激に上昇し、１１日目には糖濃度およびウロン酸濃度がそれぞれ、５０ｍｇ／Ｌおよび２０ｍｇ／Ｌとなった。そこで、分離膜装置５の１系列分を停止することによってろ過液の活性汚泥槽外への排出量および、活性汚泥槽への流入廃水量を半分に減じたところ、糖濃度およびウロン酸濃度を、それぞれ２０ｍｇ／Ｌおよび５ｍｇ／Ｌにまで低下させることができた。この後も１系列分で運転をつづけたが、図８に示されるように、膜間差圧は急上昇することなく安定に運転することができた。【００５６】
実施例１と同じの廃水を、実施例１と同じ系を用いて処理した。処理開始後２０日を経過すると、糖濃度が８０ｍｇ／Ｌ、ウロン酸濃度が３５ｍｇ／Ｌになったがそのまま処理を続けた。すると、ろ過圧力が２５ｋＰａを超え、分離膜の洗浄が必要となった。
（実施例２）
図１に示した工程で、ＢＯＤが２５０ｍｇ／Ｌの製糖工場の廃水を、連続運転で膜分離活性汚泥法により処理した。この廃水中の糖濃度およびウロン酸濃度はそれぞれ、３０ｍｇ／Ｌおよび０ｍｇ／Ｌであった。分離膜装置５として、孔径０．１μｍの精密ろ過中空糸膜をモジュ−ル化した分離膜装置（旭化成ケミカルズ社、ＰＶＤＦ製、膜面積０．０１５ｍ２、有効膜長さ１５ｃｍ、内径／外径：０．６／１．２ｍｍ）を有効容積１０Ｌの活性汚泥槽に浸漬させた。ＭＬＳＳ濃度は１０ｇ／Ｌで一定とし、活性汚泥槽４における廃水の滞留時間は１８時間とした。処理開始時のろ過圧力は４ｋＰａであった。活性汚泥の液量は常に一定とし、１系列の分離膜装置を設置し、ろ過Ｆｌｕｘは０．６ｍ／Ｄに設定し、ろ液は全量活性汚泥槽４外に排出した。活性汚泥槽４の水相中の糖濃度は上限が７０ｍｇ／Ｌ、下限が１０ｍｇ／Ｌとなるように設定することとした。また、ウロン酸濃度は、上限が２０ｍｇ／Ｌ、下限を５ｍｇ／Ｌとした。膜への曝気は、空気を膜モジュ−ルの下部から２００Ｌ／ｈの流量で送気した。【００５７】
糖濃度は上述したのと同様に、活性汚泥をろ紙（孔径１μｍ；アドバンテック社、セルロ−ス製、５Ｃ）でろ過した液をフェノ−ル硫酸法によって測定し、グルコ−スで作製した検量線により求めた。また、ウロン酸濃度も上記と同様の手順で、ポリガラクツロン酸の検量線により求めた。【００５８】
１日に１回、活性汚泥の水相中の糖濃度およびウロン酸濃度を測定した結果を図９に示す。運転開始から約１週間を経過しても活性汚泥の水相中の糖濃度およびウロン酸濃度はそれぞれ５ｍｇ／Ｌおよび２ｍｇ／Ｌ程度であり、設定値をはるかに下回るものであった。そこで、運転開始から８日目に、分離膜装置の膜面積をそれまでの２倍に増設して、活性汚泥槽への流入廃水量を２倍に増やした。その後、糖濃度およびウロン酸濃度は、それぞれ２０ｍｇ／Ｌおよび７ｍｇ／Ｌまで上昇したが、それ以上になることはなかった。このように流入廃水量を２倍に増やしても、膜間差圧は急上昇させることなく安定に運転することができた。
（実施例３）
図１に示した工程で、ＢＯＤが７５０ｍｇ／Ｌのスタ−チ工場の廃水を、連続運転で膜分離活性汚泥法により処理した。この廃水中の糖濃度およびウロン酸濃度はそれぞれ、８００ｍｇ／Ｌおよび０ｍｇ／Ｌであった。この廃水中の糖濃度は約８００ｍｇ／Ｌであった。分離膜として実施例２と同じ分離膜装置を浸漬させた。ＭＬＳＳ濃度は１０ｇ／Ｌで一定とし、活性汚泥槽における製糖工場廃水の滞留時間は１８時間とした。活性汚泥の量は常に一定とし、１系列の分離膜装置を設置し、ろ過Ｆｌｕｘは０．６ｍ／Ｄに設定し、ろ液は全量活性汚泥槽４外に排出した。膜への曝気は、空気を膜モジュ−ルの下部から２００Ｌ／ｈの流量で送気した。【００５９】
糖濃度は、活性汚泥をろ紙（孔径１μｍ；アドバンテック製５Ｃ）でろ過した液をフェノ−ル硫酸法によって測定し、グルコ−スで作製した検量線により求めた。また、ウロン酸濃度は上述したのと同様の手順で、ポリガラクツロン酸の検量線により求めた。【００６０】
初期ろ過圧力は５ｋＰａであった。運転開始２５日目には糖濃度がグルコ−ス換算で８０ｍｇ／Ｌであったが、ウロン酸濃度を測定すると、ポリガラクツロン酸換算で１７ｍｇ／Ｌであった。膜間差圧も上昇せず、初期が１０ｋＰａに対し、運転２５日目で１３ｋＰａであった。このようにウロン酸濃度を測定した方がより正確に目づまりを予測できることがわかった。
（実施例４）
実施例１で処理したのと同じ廃水を、実施例１と同様の方法で処理した。なお、分離膜装置５として、孔径０．１μｍの精密ろ過中空糸膜をモジュ−ル化した分離膜装置（旭化成ケミカルズ社製、ＰＶＤＦ製、膜面積０．０２２ｍ２、有効膜長さ１５ｃｍ、内径／外径：０．６／１．２ｍｍ）を用いた。【００６１】
各実施例において、１日に１回、活性汚泥の水相中のウロン酸濃度および糖濃度を測定し、そのときのウロン酸濃度において、膜ろ過圧力が運転開始から２０日経っても、初期圧力からの上昇が１０ｋＰａ以内であるときのろ過Ｆｌｕｘ値を求めた。表１に結果を示す。【００６２】
【表１】
0005399065.tif 000002
【００６３】
この実験結果から、ウロン酸濃度とＦｌｕｘ値のもっとも良い条件が下記のとおりであることがわかった。
分離膜装置のろ過Ｆｌｕｘを０．８ｍ／Ｄとしたときは、１０ｍｇ／Ｌ以下
分離膜装置のろ過Ｆｌｕｘを０．６ｍ／Ｄとしたときは、２０ｍｇ／Ｌ以下
分離膜装置のろ過Ｆｌｕｘを０．４ｍ／Ｄとしたときは、３０ｍｇ／Ｌ以下
【産業上の利用可能性】
【００６４】
本発明は、生物由来ポリマ−が膜表面に付着することにより有効膜面積が減少するリスクを適切に評価し、膜ろ過抵抗の上昇を防ぎながら効率よく廃水を処理する方法を提供する。従って、各種工場廃水などの再生処理に有効に用いることができる。
【図１】
0005399065.tif 000003
【図２】
0005399065.tif 000004
【図３】
0005399065.tif 000005
【図４】
0005399065.tif 000006
【図５】
0005399065.tif 000007
【図６】
0005399065.tif 000008
【図７】
0005399065.tif 000009
【図８】
0005399065.tif 000010
【図９】
0005399065.tif 000011